(57)【要約】      （修正有）【課題】足置き台の高さを高くして清掃性を向上させ、排水トラップや防水パン本体自体の清掃等の作業時における安全性を向上させる洗濯機用防水パンを提供する。【解決手段】防水パン本体２の足置き台４の側面にカバー部材２５を回動可能に取り付ける。カバー部材２５は、取り付けられた際には隙間１０の側方を覆うことで意匠性を向上させる。また、カバー部材２５を回転させることにより隙間１０の側方を開放し、清掃等の作業を行うことができる。尚、当該作業時にはカバー部材２５が隙間１０の上方の一部を覆うことで作業者の手が直接洗濯機に触れることを防ぎ、安全性を向上させる。【選択図】図６
2015007319.tif 000002
【特許請求の範囲】
【請求項１】
排水用の開口部を有する底面と、
底面の周囲から上方に向かって立設する周壁と、
周壁よりも上方まで立設された複数の足置き台とを有する防水パン本体と、
足置き台間の隙間を閉塞するカバー部材と、
からなる洗濯機用防水パンにおいて、
カバー部材は前記隙間の上方の少なくとも一部を閉塞するが、前記隙間の側方の少なくとも一部を閉塞しないことを特徴とする洗濯機用防水パン。
【請求項２】
排水用の開口部を有する底面と、
底面の周囲から上方に向かって立設する周壁と、
周壁よりも上方まで立設された複数の足置き台とを有する防水パン本体と、
足置き台間の隙間を閉塞するカバー部材と、
からなる洗濯機用防水パンにおいて、
前記カバー部材は前記隙間の側方を閉塞／開放可能であって、
上記隙間の側方を開放している状態の際に、前記隙間の上方の少なくとも一部を閉塞することを特徴とする洗濯機用防水パン。
【請求項３】
前記カバー部材が、足置き台に回動若しくは摺動可能に取り付けられていることを特徴とする請求項１又は請求項２に記載の洗濯機用防水パン。
【請求項４】
前記カバー部材が、前記隙間の側方を閉塞する位置及び開放する位置に固定可能であることを特徴とする請求項１乃至請求項３のいずれか１つに記載の洗濯機用防水パン。
【発明の詳細な説明】
【技術分野】
【０００１】
本発明は、洗濯機を載置する洗濯機用防水パンに関するものである。
【背景技術】
【０００２】
従来の洗濯機用防水パンは、四隅に洗濯機を載置するための足置き台が設けられているとともに、防水パン本体上に生じた排水や、洗濯機の使用により生じた排水を処理するために、排水トラップが取り付けられている。当該排水トラップは防水パン本体の底面に設けられた開口部に取り付けられており、封水椀、防臭筒等、内部の部材を取り外して清掃することが可能となっている。
しかし、従来の洗濯機用防水パンにおいては、防水パン本体上に洗濯機が載置されており、防水パン本体と洗濯機との間には殆ど隙間がなかった。従って、排水トラップ（排水トラップを構成する部材）を取り外して行う清掃や、洗濯機用防水パン自体の清掃等の作業を行う際には防水パン本体から洗濯機を移動させる必要があった。
【０００３】
そこで、特許文献１や特許文献２に記載の洗濯機用防水パンにおいては、洗濯機が載置される足置き台の高さを高くすることによって、上記作業が可能な程度の隙間を足置き台の間に形成した。従って、上記各特許文献に記載の洗濯機用防水パンでは、載置された洗濯機を移動させることなく、防水パン本体と洗濯機との間に直接手等を入れて上記清掃等の作業を行うことが可能となっている。
【０００４】
しかし、洗濯機は上記のように、防水パン本体と洗濯機との間に直接手等を入れて作業を行うことを想定して設計されておらず、洗濯機の底面は機械・鉄板のエッジやネジ等が飛び出している場合が多い。
【０００５】
従って、上記特許文献１や特許文献２に記載の洗濯機用防水パンにおいては、作業中に、作業者の手が洗濯機の底面に触れる等して負傷する、衣類が破損する等の新たな問題が生じた。尚、洗濯機が稼働中にそのような清掃等の作業を行ってしまった場合、特に問題が生じやすい。
【先行技術文献】
【特許文献】
【０００６】
【特許文献１】特許第４６３４２５５号公報
【特許文献２】特許第４８６６１９３号公報
【発明の概要】
【発明が解決しようとする課題】
【０００７】
本発明は上記先行技術の問題点に鑑み発明されたものであって、作業者が排水トラップの取り外しや防水パン本体自体の清掃等の作業を行い易く、且つ当該作業時において作業者が負傷等することのない、安全性を向上させた洗濯機用防水パンの提供を課題とする。
【課題を解決するための手段】
【０００８】
上記課題を解決するための請求項１に記載の本発明は、排水用の開口部を有する底面と、
底面の周囲から上方に向かって立設する周壁と、
周壁よりも上方まで立設された複数の足置き台とを有する防水パン本体と、
足置き台間の隙間を閉塞するカバー部材と、
からなる洗濯機用防水パンにおいて、
カバー部材は前記隙間の上方の少なくとも一部を閉塞するが、前記隙間の側方の少なくとも一部を閉塞しないことを特徴とする洗濯機用防水パンである。
【０００９】
請求項２に記載の本発明は、排水用の開口部を有する底面と、
底面の周囲から上方に向かって立設する周壁と、
周壁よりも上方まで立設された複数の足置き台とを有する防水パン本体と、
足置き台間の隙間を閉塞するカバー部材と、
からなる洗濯機用防水パンにおいて、
前記カバー部材は前記隙間の側方を閉塞／開放可能であって、
上記隙間の側方を開放している状態の際に、前記隙間の上方の少なくとも一部を閉塞することを特徴とする洗濯機用防水パンである。
【００１０】
請求項３に記載の本発明は、前記カバー部材が、足置き台に回動若しくは摺動可能に取り付けられていることを特徴とする請求項１又は請求項２に記載の洗濯機用防水パンである。
【００１１】
請求項４に記載の本発明は、前記カバー部材が、前記隙間の側方を閉塞する位置及び開放する位置に固定可能であることを特徴とする請求項１乃至請求項３のいずれか１つに記載の洗濯機用防水パンである。
【発明の効果】
【００１２】
請求項１に記載の本発明によれば、足置き台間の隙間の側方より排水トラップや防水パン本体の清掃等の作業を行うことができ、作業性に優れている。又、隙間の上方の少なくとも一部がカバー部材によって閉塞されているため、作業中に作業者の手が直接洗濯機に触れることを防ぎ、安全性が向上する。
請求項２に記載の本発明によれば、カバー部材の動作によって足置き台間の隙間の側方が開放状態にある時に、排水トラップや防水パン本体の清掃等の作業を行うことができ、作業性に優れている。又、当該隙間の側方が開放状態にある時には、カバー部材が隙間の上方の少なくとも一部を閉塞する状態となるため、作業中に作業者の手が直接洗濯機に触れることを防ぎ、安全性が向上する。又、請求項２に記載の本発明においては、上記作業を行う際に、カバー部材を防水パン本体から取り外すことなく作業を行うことが可能となる。
請求項３に記載の本発明によれば、カバー部材の動作を明確にすることができる。
請求項４に記載の本発明によれば、上記作業中にカバー部材の位置を固定することが可能となり、カバー部材が作業の邪魔にならない。  
【図面の簡単な説明】
【００１３】
【図１】洗濯機用防水パンを示す斜視図である。
【図２】洗濯機用防水パンを示す分解斜視図である。
【図３】防水パン本体を示す斜視図である。
【図４】排水トラップを示す断面図である。
【図５】カバー部材を示す(a)斜視図、(b)(a)とは異なる方向から見たカバー部材の斜視図である。
【図６】カバー部材の動作を示す断面図である。
【図７】第二実施形態のカバー部材の動作を示す断面図である。
【図８】第三実施形態の洗濯機用防水パンを示す斜視図である。
【図９】第三実施形態の洗濯機用防水パンを示す分解斜視図である。
【図１０】第三実施形態のカバー部材の動作を示す要部拡大断面図である。
【図１１】第四実施形態の洗濯機用防水パンを示す分解斜視図である。
【図１２】第四実施形態の洗濯機用防水パンを示す斜視図である。
【図１３】第四実施形態の洗濯機用防水パンの清掃時の状態を示す斜視図である。
【図１４】第五実施形態の洗濯機用防水パンを示す分解斜視図である。
【図１５】第六実施形態の洗濯機用防水パンを示す斜視図である。
【発明を実施するための形態】
【００１４】
以下に、本発明の実施形態について、図面を参照しながら詳細に説明する。
尚、以下の説明は各実施形態の理解を容易にするためのものであり、これによって本発明が制限して理解されるものではない。又、以下の説明では、特に断りの無い限り、図１の状態を基準として上下左右を説明する。
【００１５】
図１乃至図６に示す本発明の第一実施形態に係る洗濯機用防水パン１は防水パン本体２と、排水トラップ１５、及びカバー部材２５より構成されている。
【００１６】
防水パン本体２はＦＲＰ等の硬質の樹脂材料によって形成され、平面視略正方形形状であり、底面３、足置き台４、周壁５、開口部６より構成されている。
足置き台４は平面視略正方形形状であり、底面３の四隅より上方へ向けて立設されているとともにその側面上方において、後述するカバー部材２５が取り付け可能な取付孔７を有している。又、上面には滑り止め８、突条９がさらに上方へ向けて立設されている。上記滑り止め８は足置き台４の上面全体に形成されており、突条９は防水パン本体２の側面から連続して、足置き台４の周縁に沿って形成されている。
周壁５は防水パン本体２の周縁を囲うように立設されて、底面３上に生じた排水が防水パン本体２の外側へと飛び出することを防ぐ壁体であり、その端部は足置き台４の側面と連続している。周壁５は上記突条９と同様に、防水パン本体２の側面から連続して形成されているが、周壁５の内側は、後述する排水トラップ１５の部材を取り出しやすい様なだらかに傾斜している。
尚、前記足置き台４は周壁５よりも高い位置まで立設されているために防水パン本体２は正面視において略凹字状となり、従って、隣接する足置き台４の間には隙間１０が形成されている。
開口部６は底面３上且つ足置き台４間に形成された円形の開口であって、排水トラップ１５が取り付けられている。開口部６近傍は周囲の底面３より一段低く、排水トラップ１５が取り付けられた際に、排水トラップ１５の上面が底面３と略面一、若しくは排水トラップ１５の上面が底面３よりも低い位置に配置されるように形成されている。
ここで、底面３は開口部６へ向けて緩やかに傾斜しており、底面３上に生じた排水は開口部６へと導かれるとともに、開口部６より排水トラップ１５に流入し、下水側へ排出される。
【００１７】
排水トラップ１５は図４に示すように、トラップ本体１６、フランジ部材１７、封水椀１８、防臭筒１９、洗濯機用接続管２０、目皿２１より構成される。
トラップ本体１６は有底略円筒状にして、上方に開口を備えるとともに、側方において排出口を備えている。また、前記上方の開口の内周面には雌螺子が形成されており、フランジ部材１７と螺合することで防水パン本体２の開口部６の周縁を挟持し、固定することができる。
フランジ部材１７は略円筒形状であって、外周面に上記トラップ本体１６に形成された雌螺子と螺合する雄螺子が形成されている。又、内周面において、後述する防臭筒１９が係合可能な突起を有するとともに、内周面下端に、防臭筒１９と水密に当接するための内向きフランジと、封水椀１８をつり下げる突起を有している。
封水椀１８は、上方が開放された有底筒状の椀形状であり、側面に開口を備えている。また、その上方がフランジ部材１７に吊り下げられるように構成されている。
防臭筒１９は略円筒状であって、その上方部分はすり鉢形状をしている。また、施工完了時において、防臭筒１９の上端は前記フランジ部材１７と水密に係合するとともに、下端は封水椀１８内部であって、封水椀１８側面の開口よりも下端に配置される。
洗濯機用接続管２０は、直管部分を有するとともに、下端が分岐した管体である。洗濯機用接続管２０は施工完了時において、直管部分が防臭筒１９内に配置され、分岐部分は防臭筒１９よりも下方且つ封水椀１８の底面より上方に配置される。尚、洗濯機用接続管２０は、その上端において、エルボ部材２２を介して洗濯機（図示せず）と連結する。
目皿２１は複数の孔を有する円形の部材であって、フランジ部材１７に取り付けられて、排水中の大きなゴミ等を分離・捕集する機能を有している。
【００１８】
カバー部材２５は図５に示すように、正面視矩形且つ側面視略Ｌ字形状の板部材であって、外壁部２６、把持部２７、目隠し板部２８、突条２９、軸３０より構成されている。
外壁部２６はカバー部材２５が防水パン本体２に取り付けられた際において正面側（開口部６が開口する側）に配置され、意匠面を形成する部分であって、足置き台４間の隙間１０の側方部分と略同形状となっている。又、外壁部２６は下端中央近傍において、直方体形状の把持部２７が突出している。尚、カバー部材２５は足置き台４間の隙間１０の側方部分と略同一形状であることから、カバー部材２５が防水パン本体２に取り付けられた際には隙間１０の側方が全て覆われ、洗濯機用防水パン１は正面視略矩形状となる。（図１）
目隠し板部２８は上記外壁部２６の上端を屈曲させることによって形成され、略水平方向に延設されている。又、目隠し板部２８は外壁部２６側の一端において、目隠し板部２８の上面よりさらに上方へ向けて突出する直線状の突条２９が形成されている。尚、突条２９は、カバー部材２５が防水パン本体２に取り付けられた状態であって、外壁部２６が隙間１０の側方を閉塞している状態において、前記足置き台４の突条９と連続する。尚、後述するように、カバー部材２５が回転して隙間１０の側方が閉塞状態から開放状態に移行した際において、目隠し板部２８は下方を向くように配置される。そのため、目隠し板部２８は排水トラップ１５を構成する部材を引き抜こうとする際に干渉しない程度の長さに形成されていることが望ましい。
軸３０は目隠し板部２８の両端に計２箇所設けられており、その外径は前記足置き台４の側面に設けられた取付孔７の内径よりも小さく、取付孔７内に挿入可能となっている。
【００１９】
上記カバー部材２５は、軸３０を足置き台４の取付孔７に挿入することで防水パン本体２に取り付けられ、カバー部材２５は軸３０を中心として回動可能となる。
【００２０】
図１、図６（a）に示す、カバー部材２５を防水パン本体２に取り付けた状態において、外壁部２６は防水パン本体２の側面と略面一状になる位置に配置されている。この時、外壁部２６は足置き台４の間の隙間１０の側方をほぼ完全に覆っており、又、突条２９や目隠し板部２８によって隙間１０の上方の一部が覆われている。
【００２１】
上記洗濯機用防水パン１において、排水トラップ１５の清掃や防水パン本体２自体の清掃等を行う際には、把持部２７を持ち上げることで、カバー部材２５を軸３０を中心に回転させ、図６(c)に示すように、隙間１０の側方を開放状態にする。
このようして開放された隙間１０より、作業者は手等を直接入れて作業を行うことができる。
【００２２】
ここで、上記開放された隙間１０の側方は、封水椀１８や防臭筒１９、洗濯機用接続管２０等の部材が通過可能な程度に大きく開放されていることが望ましい。
【００２３】
尚、上記隙間１０の側方を開放した状態において、カバー部材２５の外壁部２６は上方を向くように配置される。（図６（ｃ））即ち、隙間１０の側方が開放状態にある時、外壁部２６によって隙間１０の上方はその一部が閉塞された状態となっている。
従って、作業中の作業者の手と洗濯機との間にはカバー部材２５（外壁部２６）が介在しており、作業者の手が直接洗濯機に触れることができないようになっており、安全である。又、カバー部材２５は軸３０が取付孔７に挿入されていることから、作業中の作業者の手がカバー部材２５に触れた程度の衝撃では外れたりすることがない。
【００２４】
本発明の第一実施形態における洗濯機用防水パン１は以上であるが、本発明は上記実施形態に係る構造に限られるものではなく、発明の要旨を逸脱しない範囲内において種々の設計変更が可能である。例えば、軸３０及び取付孔７の形状を変更するなどして、カバー部材２５が隙間１０の側方を開放する位置（即ち、隙間１０の上方を閉塞する位置）において固定可能となるよう構成しても良い。この場合においては、作業中常に隙間１０の側方を開放状態にすることができ、作業性が向上する。
【００２５】
又、図７に示す第二実施形態のように、カバー部材２５を防水パン本体２の奥に向かって押すことによって、隙間１０の側方を開放状態にする構造であっても良い。この場合においては、カバー部材２５が隙間１０の上方を覆う面積を増やすことができる。
【００２６】
次に、図８乃至図１０を使用して、本発明の第三実施形態について説明する。尚、前記第一実施形態と同様の構造についてはその説明を省略する。
【００２７】
第三実施形態に係る洗濯機用防水パン１は、防水パン本体２と、排水トラップ１５、及びカバー部材２５より構成されている。尚、排水トラップ１５に関しては前記第一実施形態と同一の構造であるため、その説明を省略する。
【００２８】
防水パン本体２は第一実施形態に係る防水パン本体２と略同一の形状であるが、足置き台４間に、弧状の溝４０が形成されている。
【００２９】
カバー部材２５は側面視略弧状であり、外壁部２６の上方が目隠し板部２８を兼ねている。又、外壁部２６下端には把持部２７が設けられているとともに、外壁部２６はその四隅より外側に向けて、前記溝４０内を摺動可能な摺動突起３５が計４箇所突設されている。
【００３０】
カバー部材２５を防水パン本体２に取り付け、隙間１０の側方を閉塞した状態（図８）において、カバー部材２５はその外壁部２６が弧状に形成されているため、外壁部２６の上端近傍が隙間１０の上方の一部を閉塞している。
【００３１】
上記第三実施形態に係る洗濯機用防水パン１において、排水トラップ１５の清掃や防水パン本体２自体の清掃等を行う際には、図１０に示すように、把持部２７を持ち上げることで、カバー部材２５の摺動突起３５が溝４０内を摺動することで回転し、隙間１０の側方を開放状態にすることができる。又、第三実施形態におけるカバー部材２５は、その摺動突起３５が溝４０の中に嵌め込まれて固定される構造であるため、上記第一実施形態と同様に、作業中に作業者の手がカバー部材２５に触れる程度の衝撃では外れたりすることがない。
【００３２】
ここで、上記各実施形態においては、カバー部材２５は１つの部材から形成されていたが、図１１乃至図１３に示す第四実施形態のように、外壁部２６と目隠し板部２８を別部材として形成しても良い。第四実施形態においては、外壁部２６を取り外すことで排水トラップ１５の清掃や防水パン本体２自体の清掃等を行うことができる。又、この時目隠し板部２８は隙間１０の上方を覆ったままであるため、清掃の際に作業者の手が直接洗濯機に触れることはなく、作業者は安全に作業を行うことが可能となる。
【００３３】
尚、隙間１０の上方をどの程度覆う（閉塞する）かについては、最低限作業者の手が直接洗濯機に触れることを阻害可能な程度に隙間１０の上方の少なくとも一部を閉塞していれば良い。即ち、前記第四実施形態のように、隙間１０の上方を全て覆っても良いし、図１４に示す第五実施形態のように、足置き台４間に棒状体４５を配置するだけでも、一定の効果を奏することができる。従って、上記「隙間１０の上方の少なくとも一部を閉塞する」とは、「作業者の手等と洗濯機との間に介在し、手等が洗濯機に触れる前に当接して洗濯機に触れることを防ぐ程度に隙間１０の上方の一部を閉塞している」と略同義である。
【００３４】
又、カバー部材２５を上記第四実施形態の目隠し板部２８のみで構成したり、第五実施形態の棒状体４５のみで構成したりしても作業中に作業者の手が洗濯機に触れることを防ぐことが可能である。尚、目隠し板部２８や棒状体４５は意匠性の向上とともに安全性の向上を目的としていることから、足置き台４間を渡すように横架されていることが望ましい。即ち、目隠し板部２８に手等が入る程のスリット等が形成されている場合、本発明の目的である安全性の向上が図りにくい。尚、目隠し板部２８の設け方については、図１５に示す第六実施形態のように、足置き台４の上方に直接載置するようにしても良い。
【００３５】
又、隙間１０の上方を覆う部材に関しては、第一実施形態乃至第三実施形態のように、下方からの衝撃に対してある程度の耐性を有する方が良い。即ち、カバー部材２５に対して下方から手等が当たった時に、目隠し板部２８等の部材が容易に外れない程度に固定されていることが望ましい。
【符号の説明】
【００３６】
１        洗濯機用防水パン
２        防水パン本体
３        底面
４        足置き台
５        周壁
６        開口部
７        取付孔
８        滑り止め
９、２９  突条
１０      隙間
１５      排水トラップ
１６      トラップ本体
１７      フランジ部材
１８      封水椀
１９      防臭筒
２０      洗濯機用接続管
２１      目皿
２２      エルボ部材
２５      カバー部材
２６      外壁部
２７      把持部
２８      目隠し板部
３０      軸
３５      摺動突起
４０      溝
４５      棒状体
【図１】
2015007319.tif 000003
【図２】
2015007319.tif 000004
【図３】
2015007319.tif 000005
【図４】
2015007319.tif 000006
【図５】
2015007319.tif 000007
【図６】
2015007319.tif 000008
【図７】
2015007319.tif 000009
【図８】
2015007319.tif 000010
【図９】
2015007319.tif 000011
【図１０】
2015007319.tif 000012
【図１１】
2015007319.tif 000013
【図１２】
2015007319.tif 000014
【図１３】
2015007319.tif 000015
【図１４】
2015007319.tif 000016
【図１５】
2015007319.tif 000017